(57)【要約】      （修正有）【課題】水圧力を利用した稼働状況を確認でき、揚水井戸等が使用可能かを発信する低料金、低電力な給水稼働状況通知システムを提供する。【解決手段】給水稼働状況通知システムは、水圧により作動し上下に変位する圧力作動部と、圧力作動部の上部に固定されるとともに、圧力作動部の変位により上下するセンサ軸を備える水圧状況稼働部６と、水圧状況稼働部のセンサ軸の変位を検出することで水圧力を検知する圧確認センサ部５と、水圧力の有無を検知し、水圧力有無情報を送信するＬＰＷＡ通信装置４と、から構成される。【選択図】図１
0003227087.tif 000002
【実用新案登録請求の範囲】
【請求項１】
水圧により作動する圧力作動部と前記圧力作動部の変位により上下するセンサ軸を備える水圧状況稼働部と、
前記水圧状況稼働部のセンサ軸の変位を検出することで水圧力を検知する圧確認センサ部と、
水圧力の有無を検知し、水圧力有無情報を送信するＬＰＷＡ通信装置と、
から構成されることを特徴とする給水稼働状況通知システム。
【考案の詳細な説明】
【技術分野】
【０００１】  本考案は、例えば揚水井戸等の水圧力を検知し、給水の利用を判定する装置に関する。
【背景技術】
【０００２】  災害時、給水状況が把握出来ない為、給水できる設備とできない設備があり、一つずつ試して利用していた。
【考案の概要】
【考案が解決しようとする課題】
【０００３】  災害時、給水状況が把握出来ない為、給水が必要な人々に情報が無いので水の補給は自治体の給水車が来るのを待つしかなかった。
【課題を解決するための手段】
【０００４】  本考案の給水稼働状況通知システムは、水圧により作動する圧力作動部と前記圧力作動部の変位により上下するセンサ軸を備える水圧状況稼働部と、前記水圧状況稼働部のセンサ軸の変位を検出することで水圧力を検知する圧確認センサ部と、水圧力の有無を検知し、水圧力有無情報を送信するＬＰＷＡ通信装置と、から構成されることを特徴とする。
【考案の効果】
【０００５】    本考案は揚水井戸等に通知システムを設置（低料金、低消費電力（乾電池使用）、長距離伝送（ＬＰＷＡ））の通信装置で、稼働状況が確認でき、揚水井戸等が使用可能かを通知することが出来る。
【図面の簡単な説明】
【０００６】
【図１】本考案の断面図
【図２】拠点向け通信アンテナ
【図３】電子部品部
【図４】圧確認センサ部
【図５】圧状況稼働部
【図６】圧力取入盤
【図７】収納ＢＯＸ蓋
【図８】本考案の使用例
【考案を実施するための形態】
【０００７】  本考案に係る一実施形態について、図１から図８に示して説明する。
給水の例として揚水井戸に用いるもので、給水稼働状況通知システムを設置して、水圧力の有無を検知し、情報を送信することができる。
【０００８】  以下、図面に沿って実施形態を説明する。
図１は実施形態の収納ＢＯＸ１の内部構造を示す断面図であり、各部の構成を図２以降で説明する。
【０００９】  図４に示すように、受光素子５ｃと発光素子５ｄの間を水圧力により図５センサ軸６ｄが変位することで発光素子５ｄを遮り受光判断によりセンサ軸６ｄで稼働状況がわかる。
稼働状況を図３ＬＰＷＡ通信電子部品４ｃより図２信号線２ａから拠点向け通信アンテナよりＬＰＷＡ通信で拠点に送信する。
ＬＰＷＡとはＬｏｗ  Ｐｏｗｅｒ  Ｗｉｄｅ  Ａｒｉａの略で低価格・低消費電力・広域長距離伝送の無線通信規格です。
拠点から管理センタに送信メールを受信することで、種々コンピュータプログラムでの応用が可能になる。
【００１０】  図２・図３に示すように、プリント配線基板４ａの電源をリチウムイオン乾電池３Ｖ３ａ、３ｂから電源をとり、電池の消耗を防ぐためこの動作の間隔を設定する。
３０分に１回から１日に１回の範囲でプログラムの設定できる。
図２仕切盤３ｄでこのリチウムイオン乾電池３Ｖ３ａ、３ｂを格納します。
【００１１】  図３のマイクロコンピュータ４ｂはセンサへの制御用、ＬＰＷＡ通信電子部品４ｃへ発信情報を出す役目がある。
プリント配線基板４ａはマイクロコンピュータ４ｂ、ＬＰＷＡ通信電子部品４ｃを接続する。
【００１２】  図４に示すように、温度センサ５ａでＢＯＸ内の温度を測定する。
発光素子５ｄの情報を受光素子５ｃで受信し、出力制御線５ｂでＬＰＷＡ通信電子部品４ｃへ送信する。
受光発光固定ＢＯＸ５ｅで受光素子５ｃ、発光素子５ｄを固定する。
制御用マイクロ信号授受コネクタ５ｇは図３センサ制御用信号授受コネクタ４ｄと接続する。
【００１３】  入力制御線５ｆは、プリント配線基板４ａと接続する。
温度センサ５ａ、出力制御線５ｂ、受光素子５ｃ、発光素子５ｄ、制御用マイクロコンピュータ信号授受コネクタ５ｇをプリント配線基板５ｈで接続する。
【００１４】  図５において、センサ軸６ｄが変位する為の圧状況作動軸６ｃを圧作動用スプリング６ｆで固定する。
ダイヤフラム６ｂに圧力がかかると、センサ軸６ｄが変位する。
センサ軸６ｄをセンサ軸受け６ｇで固定する。
無加圧時に復旧する為の圧作動用スプリング６ｆ。
圧状況稼働部固定盤６ａで圧作動用スプリング６ｆ、作動下限位置決め盤６ｈ、センサ軸６ｄ、センサ受光発光部の作動軸調整ネジ６ｅ、圧状況作動軸６ｃをネジ６ｉ、６ｊで図６圧状況稼働部固定盤７ｅ、圧状況稼働部固定盤７ｆに固定する。
圧稼働部固定盤７は水圧による漏れ予防ゴム板。
作動下限位置決め盤６ｈが作動下限位置決め盤停止位置７ａで停止する。
圧力取込盤７ｂに接続している圧力取込管７ｇで水圧力を取り込む。
【００１５】  図７の収納ＢＯＸの正面と側面を示し、収納ＢＯＸ１に圧力稼働部固定盤７を取付ネジ穴７ｃ、７ｄにネジで固定し、ＢＯＸ蓋８で密閉することができる。
【００１６】  以上のように、本考案の給水稼働状況通知システムによって、低電力、広範囲の回線ＬＰＷＡを利用しているのでバッテリー寿命が長く１年間メンテナンスフリーで揚水井戸等の稼働状態か知らせてくれるシステムを提供できる。
【００１７】  また、水圧力の有無を検知し、情報を送信するのを一定間隔で電子回路から発光素子を使って使用可能か判定するので省電力です。
給水とは揚水井戸や工場などで使用する水、浄水所の給水を含みます。
揚水井戸を効果的に使用すれば、災害時復旧のめどが立たない場合など混乱等をやわらげ、住民生活に役立ち社会貢献につながります。
【符号の説明】
【００１８】１  収納ＢＯＸ
２  拠点向け通信アンテナ
２ａ  ＬＰＷＡ通信電子部品への信号線
３  リチウムイオン乾電池
３ａ、３ｂ  リチウムイオン乾電池
３ｃ、３ｅ  電源提供
３ｄ  仕切板
４    ＬＰＷＡ通信装置
４ａ  プリント配線基板
４ｂ  マイクロコンピュータ
４ｃ  ＬＰＷＡ通信電子部品
４ｄ  センサへの制御用信号授受コネクタ
５    圧確認センサ部
５ａ  温度センサ
５ｂ  ４ｃへの出力制御線
５ｃ  受光素子
５ｄ  発光素子
５ｅ  受光発光固定ＢＯＸ
５ｆ  入力制御線
５ｇ  制御用マイクロコンピュータ信号授受コネクタ
５ｈ  入力制御線
６    圧状況稼働部
６ａ  圧状況稼働部固定盤
６ｂ  ダイヤフラム
６ｃ  圧状況作動軸
６ｄ  センサ軸
６ｅ  センサ受光発光部の作動軸調整ネジ
６ｆ  圧作動用スプリング
６ｇ  センサ軸受け
６ｈ  作動下限位置決め盤
６ｉ、６ｊ  ネジ穴
７  圧稼働部固定盤
７ａ  作動下限位置決め盤停止位置
７ｂ  圧力取入盤
７ｃ、７ｄ  取付ネジ穴
７ｅ、７ｆ  圧状況稼働部固定盤ネジ
７ｇ  水圧取り込み管
８  収納ＢＯＸ蓋
【図１】
0003227087.tif 000003
【図２】
0003227087.tif 000004
【図３】
0003227087.tif 000005
【図４】
0003227087.tif 000006
【図５】
0003227087.tif 000007
【図６】
0003227087.tif 000008
【図７】
0003227087.tif 000009
【図８】
0003227087.tif 000010
【手続補正書】
【提出日】令和2年4月3日(2020.4.3)
【手続補正１】
【補正対象書類名】実用新案登録請求の範囲
【補正対象項目名】全文
【補正方法】変更
【補正の内容】
【実用新案登録請求の範囲】
【請求項１】
水圧により作動し上下に変位する圧力作動部と、前記圧力作動部の上部に固定されるとともに、前記圧力作動部の変位により上下するセンサ軸を備える水圧状況稼働部と、
前記水圧状況稼働部のセンサ軸の変位を検出することで水圧力を検知する圧確認センサ部と、
水圧力の有無を検知し、水圧力有無情報を送信するＬＰＷＡ通信装置と、
から構成されることを特徴とする給水稼働状況通知システム。